(57)【特許請求の範囲】
【請求項１】
直方体である包装容器の寸法を読み取るための読み取り光を遮る光遮断領域が表面に設けられており、
数量が分割されて再包装される薬剤に関する再包装薬剤情報に関連する情報コードが表示されており、
前記光遮断領域は、前記直方体の対向する面の周縁部に配置されている、前記薬剤を包装する透明な包装容器。
【請求項２】
前記再包装薬剤情報は、包装する薬剤の名称、数量、および有効期限に関する情報を含み、
包装する前記薬剤の前記名称および前記有効期限は、分割元の薬剤の名称および有効期限である、請求項１に記載の透明な包装容器。
【請求項３】
前記再包装薬剤情報は、分割元の薬剤の製造ロットおよび製造シリアル番号に関する情報の少なくともいずれかをさらに含む、請求項２に記載の透明な包装容器。
【請求項４】
前記薬剤の組み合わせに関する組み合わせ情報に基づいて組み合わされた、併用薬として再包装される複数の種類の前記薬剤のセットを包装する、請求項３に記載の透明な包装容器。
【請求項５】
前記光遮断領域は、互いに対向する複数の位置に配置されている、請求項１に記載の透明な包装容器。
【発明の詳細な説明】
【技術分野】
【０００１】
本発明は、薬剤を包装する包装容器に関する。
【背景技術】
【０００２】
近年では、薬剤保管庫への医薬品の保管が自動化されつつある。例えば下記特許文献１には、医薬品パック用の自動保存システムが開示されている。特許文献１に記載の自動保存システムによると、医薬品パックは保存コンテナとしてのストレージに保管されており、ストレージ内への医薬品パックの入庫および払出は、自動ピッキング機により自動化されている。ストレージに保管される医薬品パックは、標準的なブリスターボックスまたはボトルの形態である。自動ピッキング機は例えば把持ロボットにより実現されている。
【先行技術文献】
【特許文献】
【０００３】
【特許文献１】特表２０１６−５２３１５２号公報
【発明の概要】
【発明が解決しようとする課題】
【０００４】
医薬品（以下、医薬品および薬剤をまとめて単に薬剤と呼ぶ）パックの包装単位は、医薬品メーカから出荷されて医薬品流通業者を介して医療機関等へ納入される、比較的大口の包装単位である。例えば医薬品流通業者から医療機関等へは、薬剤パックとして、錠剤またはカプセル剤の薬剤を包装するブリスターパックを多数箱詰めしたブリスターボックスや、多数の錠剤またはカプセル剤をボトル詰めしたボトルが納入されている。医薬品の業界において、医薬品卸業者等の医薬品流通業者から調剤薬局等の医療機関へ、小分けされた薬剤を販売することは分譲と呼ばれている。
【０００５】
調剤薬局を含む医療機関等では、患者の処方箋に記載されている調剤情報に基づいて、薬剤師が患者毎に薬剤を計数調剤することにより、患者に受け渡す薬剤をその都度準備している。計数調剤では、薬剤師は、比較的大口の包装単位であるブリスターボックスやボトルから薬剤を取り出して、処方箋に応じた患者毎の数量に薬剤を小分けする。処方箋には、例えばロキソニンおよびムコスタの組み合わせのような、併用処方が可能な組み合わせの複数の薬剤が示されていることがある。このようなケースでは、複数の薬剤のそれぞれについて、薬剤師による計数調剤が行われている。
【０００６】
特許文献１に記載の上記した医薬品パック用の自動保存システムを、例えば調剤薬局に導入することにより、計数調剤に用いる薬剤パック（ブリスターボックスまたはボトル）を薬剤保管庫から取り出す作業と、計数調剤後に薬剤パックを薬剤保管庫に格納する作業とは自動化される。これにより薬剤師の労力は軽減される。
【０００７】
しかしながら我が国では、関係法令の規定により、計数調剤は薬剤師の監督下において行う必要がある。薬剤を患者に受け渡す際には、依然として薬剤師が監査（処方監査および調剤監査）を行う必要があり、薬剤を予め小口の包装単位で準備して再包装しておくことはなされていない。併用処方が可能な複数の薬剤を同じパック内に再包装することもなされていない。仮に、併用処方が可能な薬剤を予め小分けして同じパック内に再包装しておけば、薬剤師の労力がより軽減されることが期待される。薬剤師の労力をより軽減するために、薬剤を大口の包装単位から小口の包装単位に予め小分けして再包装しておき、その小分けした再包装のパックを、自動化された薬剤保管庫において取り扱うことを可能にすることが求められている。
【０００８】
本発明の目的は、自動化された薬剤保管庫において取り扱うことが可能な、数量が分割されて再包装される薬剤を包装する包装容器を提供することにある。
【課題を解決するための手段】
【０００９】
上記目的を達成するための本発明は、例えば以下に示す態様を含む。
（項１）
包装容器の寸法を読み取るための読み取り光を遮る光遮断領域が表面に設けられており、
数量が分割されて再包装される薬剤に関する再包装薬剤情報に関連する情報コードが表示されている、前記薬剤を包装する透明な包装容器。
（項２）
前記再包装薬剤情報は、包装する薬剤の名称、数量、および有効期限に関する情報を含み、
包装する前記薬剤の前記名称および前記有効期限は、分割元の薬剤の名称および有効期限である、項１に記載の透明な包装容器。
（項３）
前記再包装薬剤情報は、分割元の薬剤の製造ロットおよび製造シリアル番号に関する情報の少なくともいずれかをさらに含む、項２に記載の透明な包装容器。
（項４）
前記薬剤の組み合わせに関する組み合わせ情報に基づいて組み合わされた、併用薬として再包装される複数の種類の前記薬剤のセットを包装する、項３に記載の透明な包装容器。
（項５）
前記包装容器は直方体であり、
前記光遮断領域は、前記直方体の対向する面の周縁部に配置されている項１から４のいずれか一項に記載の透明な包装容器。
（項６）
前記光遮断領域は、互いに対向する複数の位置に配置されている、項５に記載の透明な包装容器。
【発明の効果】
【００１０】
本発明によると、自動化された薬剤保管庫において取り扱うことが可能な、数量が分割されて再包装される薬剤を包装する包装容器を提供することができる。
【図面の簡単な説明】
【００１１】
【図１】本発明の一実施形態に係る包装容器の概略的な構成を示す斜視図であり、包装容器の開封口が閉じられた状態を示す。
【図２】本発明の一実施形態に係る包装容器の概略的な構成を示す斜視図であり、包装容器の開封口が開放された状態を示す。
【図３】薬剤管理ネットワークの機能を説明するためのブロック図である。
【図４】包装容器を薬剤保管庫へ入庫する際の作業を説明するための模式的な図である。
【図５】薬剤保管庫内の一例を示す写真である。
【図６】自動薬剤受取機の一例を示す写真である。
【図７】本発明の他の実施形態に係る包装容器の概略的な構成を示す斜視図である。
【発明を実施するための形態】
【００１２】
以下、本発明の実施形態を、添付の図面を参照して詳細に説明する。なお、以下の説明および図面において、同じ符号は同じまたは類似の構成要素を示すこととし、よって、同じまたは類似の構成要素に関する重複した説明を省略する。
【００１３】
図１および図２は、本発明の一実施形態に係る包装容器の概略的な構成を示す斜視図である。包装容器の開封口が閉じられた状態を図１に示し、開封口が開放された状態を図２に示す。
【００１４】
本発明の一実施形態に係る包装容器１０（１０Ａ）は、再包装される薬剤９１，９２を包装する包装容器（パッケージ）である。包装容器１０には、包装容器１０の寸法を読み取るための読み取り光を遮る光遮断領域１１（１１Ａ）が表面に設けられており、数量が分割されて再包装される薬剤９１，９２に関する再包装薬剤情報に関連する情報コード１２が表示されている。
【００１５】
調剤監査を行う際に薬剤師が包装容器１０の内包物を確認することができるように、包装容器１０は透明になっている。例示的には、包装容器１０は直方体であり、透明な包装容器には、例えばポリカーボネート等の熱可塑性樹脂を用いることができる。
【００１６】
包装容器１０内に再包装される薬剤９１，９２は、大口の包装単位から数量が分割されて小分けされている。好ましくは、包装容器１０は、併用薬として再包装される複数の種類の薬剤９１，９２のセットを包装する。複数の種類の薬剤９１，９２は、薬剤の組み合わせに関する情報（併用薬組み合わせ情報２２）に基づいて組み合わされている。
【００１７】
包装容器１０の表面には光遮断領域１１（１１Ａ）が設けられている。光遮断領域１１は、包装容器１０の寸法を読み取るための読み取り光（例えば赤外光）を遮る機能を有している。光遮断領域１１には、例えば有色のテープまたはシールを用いることができる。光遮断領域１１は、例示するようなテープまたはシール等の態様に限られず、光を遮ることが可能であれば良い。例えば透明な包装容器１０の領域の一部に、印刷や吹きつけにより塗料を塗ることにより光遮断領域１１を設けてもよいし、透明な包装容器１０の領域の一部を、透明ではない有色の熱可塑性樹脂を用いて構成してもよい。
【００１８】
好ましくは、光遮断領域１１は直方体の対向する面の周縁部に配置される。好ましくは、光遮断領域１１は、互いに対向する複数の位置に配置される。光遮断領域１１は周縁部の全体に配置される必要はなく、周縁部の少なくとも一部に配置されていればよい。図示する例では、光遮断領域１１は４箇所に配置されている。光遮断領域１１は、直方体の上面においては、周縁部の左右の端部のそれぞれに配置され、直方体の底面においては、周縁部の左右の端部のそれぞれに配置されている。
【００１９】
包装容器１０には情報コード１２が表示されている。情報コード１２は、再包装される薬剤に関する情報（再包装薬剤情報２３）に関連する情報コードである。好ましくは、再包装薬剤情報は、包装する薬剤の名称、数量、および有効期限に関する情報を含み、包装する薬剤の名称および有効期限は、分割元の薬剤の名称および有効期限である。好ましくは、再包装薬剤情報は、分割元の薬剤の製造ロットおよび製造シリアルに関する情報の少なくともいずれかをさらに含む。
【００２０】
包装容器１０には開封口１３が設けられている。開封口１３は開閉自在に構成されている。図２に示すように、開封口１３の蓋は跳ね上げて開放することができ、包装容器１０内に薬剤９１，９２を出し入れすることができる。
【００２１】
包装容器１０を保管する際には、開封口１３の意図しない開放を防ぐために、例えば剥がすと文字が浮き出る開封防止シールを用いて、開封口１３を閉じておくことが好ましい。これにより、包装容器１０の内包物が、表示されている情報コード１２から取得される再包装薬剤情報の通りであることを保証することができる。
【００２２】
図３〜図５を参照して以下に説明するように、本発明の一実施形態に係る包装容器１０では、包装容器１０の表面に光遮断領域１１が設けられている。これにより、調剤監査の要請により包装容器を透明にした薬剤の再包装（リパッケージ）品を、薬剤保管ロボット４により入庫および払出が自動化された薬剤保管庫５において取り扱うことが可能となる。
【００２３】
図３は、本発明の一実施形態に係る包装容器の使用態様を説明するための図であり、薬剤管理ネットワークの機能を説明するためのブロック図である。
【００２４】
例示する薬剤管理ネットワーク１では、薬剤管理データベース２と、再包装支援システム３と、薬剤保管ロボット４とが、インターネットなどの通信ネットワークＮＷを介して接続されており、これらは互いに通信可能となっている。
【００２５】
薬剤管理データベース２は、例えばクラウドサーバ上に設けられたデータベースであり、薬剤に関する情報を記録および管理する。再包装支援システム３は、例えば調剤薬局に設けられており、包装容器１０に表示される情報コード１２の作成を支援する。再包装支援システム３は、薬剤管理データベース２に記載されている薬剤に関する情報に基づいて、包装容器１０に再包装する薬剤に関する再包装薬剤情報を作成する機能と、再包装薬剤情報を情報コード１２として媒体に印刷する機能とを有する。薬剤管理データベース２および再包装支援システム３の詳細な機能については後述する。
【００２６】
薬剤保管ロボット４は、薬剤保管庫５内に移動可能に設けられており、薬剤保管庫５内への包装容器１０および薬剤パック９の入庫および払出を行う。薬剤保管庫５には、包装容器１０や薬剤パック９が保管される。薬剤保管庫５内への包装容器１０および薬剤パック９の入庫および払出は、薬剤保管ロボット４により自動化されており、薬剤保管ロボット４および薬剤保管庫５は、自動化された薬剤保管庫として機能する。薬剤保管ロボット４および薬剤保管庫５は、例えば調剤薬局に配置されている。
【００２７】
薬剤パック９は、例えば標準的なブリスターボックスまたはボトルの形態であり、医薬品流通業者から医療機関等へ納入される包装単位の薬剤を包装している。図１および図２を参照して説明するように、包装容器１０には薬剤が小分けされて再包装されている。包装容器１０に再包装する薬剤には、薬剤パック９内に包装されている薬剤を用いることができる。
【００２８】
例示する薬剤管理ネットワーク１では、さらに自動薬剤受取機６が通信ネットワークＮＷに接続されている。自動薬剤受取機６は、人を介さずに薬剤を受け取ることを可能とする装置である。自動薬剤受取機６は例えば調剤薬局に配置される。
【００２９】
図４は、本発明の一実施形態に係る包装容器の使用態様を説明するための模式的な図であり、包装容器を薬剤保管庫へ入庫する際の作業を説明するための図である。
【００３０】
薬剤保管庫５には、薬剤搬入搬出口５１と、情報コード読み取り部５２と、ベルトコンベア５３と、寸法測定部５４とが設けられている。情報コード読み取り部５２は例えば赤外線センサにより構成されており、寸法測定部５４は、例えば赤外光による光学センサにより構成されている。
【００３１】
まずは、薬剤パック９を薬剤保管庫５へ入庫する際の作業を説明する。次に、再包装される薬剤を包装している透明な包装容器１０を薬剤保管庫５へ入庫する際の作業を説明する。
【００３２】
薬剤パック９は、薬剤搬入搬出口５１を通じて薬剤保管庫５内へ入庫される。医薬品流通業者から医療機関等へ納品される薬剤パック９には、包装している薬剤に関する情報が、例えばＧＳ１コードを用いて表示されている。オペレータ（例えば薬剤師）は、薬剤パック９に表示されているＧＳ１コードを情報コード読み取り部５２にかざす。ＧＳ１コードには、薬剤パック９内に包装されている薬剤の名称に関する情報（アイテムコード）、有効期限、ロット番号、シリアル番号および数量の情報が含まれている。これにより、薬剤パック９内に包装されている薬剤に関する情報（薬剤情報２１）が、通信ネットワークＮＷを通じて薬剤管理データベース２に記録される。
【００３３】
次に、オペレータは薬剤パック９をベルトコンベア５３上に載置する。薬剤パック９はベルトコンベア５３によって薬剤搬入搬出口に向かって搬送され、薬剤搬入搬出口５１の手前に配置された寸法測定部５４により、薬剤パック９の三辺の寸法が測定される。薬剤パック９のパッケージは、ブリスターボックスまたはボトルの形態であり、透明ではない有色の熱可塑性樹脂または紙等を用いて包装されているため、三辺の寸法は適切に測定することができる。その後、薬剤パック９は、薬剤保管ロボット４によって、薬剤保管庫５内の決定された適切な棚の領域へ保管される。
【００３４】
再び図４を参照する。透明な包装容器１０についても薬剤パック９と同様に、薬剤搬入搬出口５１を通じて薬剤保管庫５内へ入庫される。オペレータは、包装容器１０に表示されている情報コード１２を情報コード読み取り部５２にかざす。これにより、包装容器１０内に包装されている薬剤に関する情報（再包装薬剤情報２３）が、通信ネットワークＮＷを通じて薬剤管理データベース２に記録される。
【００３５】
次に、オペレータは包装容器１０をベルトコンベア５３上に載置する。包装容器１０はベルトコンベア５３によって薬剤搬入搬出口５１に向かって搬送され、薬剤搬入搬出口５１の手前に配置された寸法測定部５４により、包装容器１０の三辺の寸法が測定される。包装容器１０の保管に適切な薬剤保管庫５内の棚の領域は、測定された三辺の寸法に基づいて薬剤保管ロボット４により決定される。その後、包装容器１０は、薬剤保管ロボット４によって、薬剤保管庫５内の決定された適切な棚の領域へ保管される。
【００３６】
包装容器１０には光遮断領域１１が設けられている。これにより、薬剤師による調剤監査を行うために包装容器１０を透明にしていても、寸法測定部５４は包装容器１０の三辺の寸法を適切に測定することが可能となる。透明な包装容器１０の寸法を適切に測定することが可能になると、入庫および払出が自動化された薬剤保管庫５において、透明な包装容器１０を取り扱うことが可能となる。
【００３７】
図５は、本発明の一実施形態に係る包装容器の使用態様を説明するための写真であり、薬剤保管庫内の一例を示す写真である。
【００３８】
薬剤保管庫５内には、包装容器１０および薬剤パック９等の薬剤の箱を保管する棚が設置されている。棚の領域と薬剤保管庫５内に保管されている薬剤の箱との対応関係は、データベースとして例えば薬剤保管ロボット４が記憶している。薬剤保管庫５内に配置されている薬剤保管ロボット４は、データベースとして記憶している対応関係に基づいて棚にアクセスし、棚に保管されている包装容器１０および薬剤パック９等の薬剤の箱を取り出すことができる。
【００３９】
このように、薬剤保管庫５内への包装容器１０および薬剤パック９の入庫および払出は、薬剤保管ロボット４により自動化されており、薬剤保管ロボット４および薬剤保管庫５は、自動化された薬剤保管庫として機能する。薬剤保管ロボット４および薬剤保管庫５としては、例えば日本ベクトン・ディッキンソン株式会社製のＢＤ  Ｒｏｗａ  Ｖｍａｘシステムを用いることができるが、これらに限定されることはない。
【００４０】
図６は、本発明の一実施形態に係る包装容器の使用態様を説明するための写真であり、自動薬剤受取機の一例を示す写真である。
【００４１】
自動薬剤受取機６には、バーコード読み取り部６１と薬剤払出口６２とが設けられている。自動薬剤受取機６は、包装容器１０および薬剤パック９等の薬剤の箱を内部に収容することができる。自動薬剤受取機６には、薬剤師による監査（処方監査および調剤監査）と、薬剤の箱と患者のＩＤ等との対応付けとが済んだ薬剤の箱が収容される。薬剤の箱を薬剤保管庫５から自動薬剤受取機６内部へ移送する手段には、例えば薬剤保管ロボット４を用いることができる。この場合、薬剤保管庫５と自動薬剤受取機６との間には、例えば搬送用のベルトコンベアが設けられる。
【００４２】
自動薬剤受取機６の内部に収容されている薬剤の箱は、例えば患者のＩＤ等を示すバーコードをバーコード読み取り部６１にかざすことにより、薬剤払出口６２に払い出される。これにより、患者は人を介さずに薬剤を受け取ることができる。自動薬剤受取機６としては、例えば日本ベクトン・ディッキンソン株式会社製のピックアップターミナルを用いることができるが、これに限定されることはない。
【００４３】
図３を再び参照して、薬剤管理データベース２および再包装支援システム３について説明する。以下に説明する態様では、複数の薬剤パック９内に包装されている複数の種類の薬剤を用いて、併用処方が可能な薬剤の組み合わせに関する情報に基づいて、包装容器１０へ薬剤を再包装する。包装容器１０内に再包装される薬剤は、併用処方が可能な薬剤のセットである。
【００４４】
薬剤管理データベース２には、例えばデータベースとして、薬剤情報２１と、組み合わせ情報２２と、再包装薬剤情報２３とが設けられる。薬剤情報２１は、薬剤パック９が包装する薬剤に関する情報を含んでいる。組み合わせ情報２２は、併用処方が可能な薬剤の組み合わせに関する情報を含んでいる。再包装薬剤情報２３は、包装容器１０が再包装する薬剤に関する情報を含んでいる。これら薬剤情報２１、組み合わせ情報２２および再包装薬剤情報２３の一例を、後述する表１に示す。
【００４５】
再包装支援システム３は、再包装支援装置３１と、情報コード印刷機３２とを備える。
【００４６】
再包装支援装置３１は、調剤薬局を含む医療機関等における薬剤の再包装を支援する装置であり、汎用のコンピュータで構成することができる。再包装支援装置３１は、ハードウェア構成として、キーボードやマウスなどの入力装置、液晶ディスプレイなどの表示装置、ＣＰＵやＭＰＵなどの演算処理装置、ＤＲＡＭやハードディスクなどの記憶装置を備えている。
【００４７】
情報コード印刷機３２は、再包装支援装置３１によって作成される再包装薬剤情報２３を、情報コード１２として媒体に印刷する装置であり、印刷機で構成することができる。情報コード１２には、バーコード等の一次元コードやＱＲコード（登録商標）等の二次元コードを用いることができる。媒体は、裏面に粘着層を有するシールが好ましい。
【００４８】
再包装支援装置３１は、機能ブロックとして、組み合わせ情報確認部３１１と、再包装薬剤情報作成部３１２と、薬剤入出庫管理部３１３とを備える。これらの各部は、記憶装置に記憶された再包装支援プログラムを演算処理装置が実行することにより実現される。再包装支援プログラムは、通信ネットワークＮＷを介して再包装支援装置３１にダウンロードしてもよいし、ＣＤ−ＲＯＭなどのコンピュータ読み取り可能な非一時的な記録媒体に再包装支援プログラムを記録しておき、当該記録媒体を介して再包装支援装置３１にインストールしてもよい。
【００４９】
組み合わせ情報確認部３１１は、組み合わせ情報２２の内容を薬剤師に確認させる機能を有している。再包装薬剤情報作成部３１２は、薬剤師による確認を受けた組み合わせ情報２２に基づいて、再包装する薬剤に関する再包装薬剤情報２３を作成する機能を有している。薬剤入出庫管理部３１３は、組み合わせ情報２２に基づいて、薬剤保管ロボット４に、再包装に用いる薬剤パック９の払出および再入庫を指示する機能を有している。
【００５０】
表１を参照して、包装容器１０内に薬剤を包装して再包装（リパッケージ）品を作成する手順の一例を説明する。表１は、薬剤管理データベース２にデータベースとして設けられている、薬剤情報２１、組み合わせ情報２２および再包装薬剤情報２３の一例である。
【表１】
0006847481.tif 000002
【００５１】
以下に説明する一例では、薬剤師は、組み合わせ情報２２に組み合わせの名称Ｒｅｐαで示されている、併用処方が可能な２種類の薬剤ＮａｍＡ，ＮａｍＢを組み合わせて包装する併用薬の再包装品を作成する。
【００５２】
組み合わせ情報確認部３１１は、薬剤管理データベース２に記録されている組み合わせ情報２２の内容を再包装支援装置３１の表示装置に表示させ、薬剤師に閲覧させる。薬剤師は、表示されている組み合わせ情報２２の内容のうち、作成を希望する再包装品について、組み合わせの名称Ｒｅｐα、構成薬剤の名称ＮａｍＡ，ＮａｍＢおよび薬剤の指定数量ＤｑｔＡ，ＤｑｔＢを確認する。確認後、問題が無いと薬剤師が判断すれば、作成を希望する再包装品の名称Ｒｅｐαを選択し、問題が無いことを示すボタン（ＯＫボタンなど）を押下する。
【００５３】
薬剤入出庫管理部３１３は、薬剤情報２１を参照し、薬剤師が作成を希望した名称を有する薬剤が包装されている薬剤パック９の払出を、薬剤保管ロボット４に指示する。薬剤保管ロボット４は、名称ＮａｍＡの薬剤が包装されている薬剤パック９と、名称ＮａｍＢの薬剤が包装されている薬剤パック９とを、薬剤保管庫５内の棚から取り出して、図４に示す薬剤搬入搬出口５１を通じて薬剤師へ払い出す。薬剤師は、薬剤保管庫５から払い出されたそれぞれの薬剤パック９内から薬剤ＮａｍＡ，ＮａｍＢを取り出して、指定数量ＤｑｔＡ，ＤｑｔＢ分のそれぞれの薬剤を包装容器１０内に包装する。
【００５４】
なお、薬剤情報２１の薬剤数量ＱｔｙＡ，ＱｔｙＢは、薬剤保管庫５から払い出されたそれぞれの薬剤パック９を薬剤保管庫５へ再入庫する際に、組み合わせ情報２２の指定数量ＤｑｔＡ，ＤｑｔＢ分だけ減算して記録される。例えば、薬剤数量を指定数量分だけ減算して更新した薬剤情報２１のレコードの一時的なデータを、情報コード印刷機３２を用いて情報コードとしてシールに印刷しておき、そのシールを、それぞれの薬剤パック９のＧＳ１コードが表示されている領域に貼り付けておく。図４を参照して説明するように、これら薬剤パック９を薬剤保管庫５へ再入庫する際に、シールに印刷されている情報コードを情報コード読み取り部５２にかざして読み取ることにより、更新された薬剤数量の薬剤情報２１が、薬剤管理データベース２に記録される。
【００５５】
再包装薬剤情報作成部３１２は、再包装する薬剤に関する再包装薬剤情報２３を作成する。再包装薬剤情報作成部３１２は、薬剤師が作成を希望した再包装品のデータ項目について、薬剤情報２１および組み合わせ情報２２に基づいて、再包装薬剤情報２３として記録するためのレコードの一時的なデータを作成する。この時点において再包装薬剤情報作成部３１２が作成する再包装薬剤情報２３のレコードのデータは、情報コード１２として一時的に出力するためのデータである。作成した再包装薬剤情報２３のレコードが薬剤管理データベース２に記録されるタイミングは、包装容器１０を薬剤保管庫５内に入庫する際に、情報コード１２が読み取られるタイミングである。
【００５６】
説明する一例では、薬剤師が作成を希望する再包装品は、２種類の薬剤ＮａｍＡ，ＮａｍＢを組み合わせて包装する併用薬の再包装品であるため、再包装薬剤情報２３のレコードの一時的なデータとして、２種類の薬剤に対応する２つのレコードＮｏ．１，２のデータを作成する。
【００５７】
具体的には、再包装薬剤情報２３の２つのレコードＮｏ．１，２について、再包装品の名称Ｒｅｐα、構成薬剤の名称ＮａｍＡ，ＮａｍＢおよび薬剤数量ＤｑｔＡ，ＤｑｔＢのデータ項目が、組み合わせ情報２２の該当するレコードＮｏ．１，２のデータ項目から複製して作成される。同様に、有効期限ＥｘｐＡ，ＥｘｐＢおよび製造ロット番号ＬｏｔＡ，ＬｏｔＢのデータ項目が、薬剤情報２１の該当するレコードＮｏ．１，２のデータ項目から複製して作成される。
【００５８】
なお、再包装薬剤情報２３が有する同一包装識別番号のデータ項目は、薬剤保管庫５内の一つの包装容器１０に付される識別番号である。例えばＲｅｐαの名称を有する再包装品は、２種類の薬剤ＮａｍＡ，ＮａｍＢを同一の包装容器１０内に包装しているので、レコードＮｏ．１，２の同一包装識別番号のデータ項目には、同じ識別番号Ｒｅｐ０００１が付されている。また、レコードＮｏ．６，７に示すように、レコードＮｏ．１，２と同じ再包装品の名称Ｒｅｐαを有するレコードであっても、別の包装容器１０を用いて作成されている再包装品のレコードについては、同一包装識別番号のデータ項目には、レコードＮｏ．１，２の識別番号Ｒｅｐ０００１とは異なる識別番号Ｒｅｐ０００３が付されている。
【００５９】
一時的に出力するための再包装薬剤情報２３のレコードのデータが作成されると、薬剤師は、情報コード印刷機３２を用いて、作成を希望する再包装品に関する再包装薬剤情報２３のレコードＮｏ．１，２の情報を、情報コード１２としてシール等に印刷する。印刷された情報コード１２のシールは、図１に示すように、包装容器１０の表面に貼り付けられる。その後、情報コード１２のシールが貼り付けられた包装容器１０は、図４を参照して説明するように、患者への提供のために薬剤保管庫５内へ再入庫される。一時的なデータとして作成した再包装薬剤情報２３のレコードＮｏ．１，２の内容は、このタイミングで薬剤管理データベース２に記録される。
【００６０】
以上、本発明によると、自動化された薬剤保管庫５において取り扱うことが可能な、数量が分割されて再包装される薬剤を包装する包装容器１０を提供することができる。
【００６１】
本発明の一実施形態に係る包装容器１０では、包装容器１０の表面に光遮断領域１１が設けられている。これにより、薬剤師による調剤監査を行うために包装容器１０を透明にしていても、包装容器１０の三辺の寸法を適切に測定することが可能となり、調剤監査の要請により包装容器を透明にした薬剤の再包装（リパッケージ）品を、薬剤保管ロボット４により入庫および払出が自動化された薬剤保管庫５において取り扱うことが可能となる。薬剤師は、予め小分けしておいた薬剤が再包装されている包装容器１０を、そのまま患者に受け渡すことが可能となる。包装容器１０は透明であり、薬剤を患者に受け渡す際に行われる薬剤師による監査にも支障は生じない。
【００６２】
本発明の一実施形態に係る包装容器１０では、包装容器１０に情報コード１２が表示されている。情報コード１２によって表される薬剤に関する情報（再包装薬剤情報２３）は、包装している薬剤の名称、数量および有効期限を含み、分割元の製造ロット番号をさらに含むことができる。分割元の製造ロット番号は、例えば調剤薬局のデータベースにおいて、患者の情報（氏名および住所等の連絡先に関する情報）と対応付けて記録しておくことができる。これにより、包装容器１０に再包装されている薬剤であっても、薬剤パック９に内包されている薬剤と同様に、薬剤を投与した患者の情報を、当該薬剤の製造ロット番号を用いて調剤薬局のデータベースから検索することが可能となり、薬剤のトレーサビリティを実現することができる。なお、分割元の製造ロット番号は、調剤薬局のデータベースにデータとして記録しておくだけではなく、例えば情報コードの形態でシール等に印刷しておき、患者のお薬手帳にシールを貼り付けることにより保管しておいてもよい。
［その他の形態］
【００６３】
以上、本発明を特定の実施形態によって説明したが、本発明は上記した実施形態に限定されるものではない。
【００６４】
図７に示すように、本発明の他の実施形態に係る包装容器１０（１０Ｂ）では、さらなる光遮断領域１１（１１Ｂ）が配置されている。図示する例では、さらなる光遮断領域１１Ｂは４箇所に配置されている。光遮断領域１１Ｂは、直方体の前面側面においては、周縁部の左右の端部のそれぞれに配置され、直方体の後面側面においては、周縁部の左右の端部のそれぞれに配置されている。
【００６５】
上記実施形態では、再包装薬剤情報２３は、分割元の薬剤の製造ロット番号を含んでいるが、製造ロット番号に代えて、分割元の薬剤の製造シリアル番号を含んでいてもよく、製造ロット番号および製造シリアル番号の両方を含んでいてもよい。再包装薬剤情報２３は、分割元の薬剤の製造ロットおよび製造シリアルに関する情報の少なくともいずれかを含むことができる。
【００６６】
上記実施形態では、再包装支援システム３、薬剤保管ロボット４および薬剤保管庫５は、調剤薬局に配置されているが、これらの配置場所は例示する調剤薬局に限定されない。再包装支援システム３、薬剤保管ロボット４および薬剤保管庫５は、例えば総合病院やクリニック等の種々の医療機関に配置してもよい。同様に、上記実施形態では、薬剤管理データベース２はクラウドサーバ上に設けられているが、薬剤管理データベース２は、調剤薬局等を含む医療機関に配置されたサーバコンピュータ上に設けてもよい。
【００６７】
上記実施形態では、剥がすと文字が浮き出る開封防止シールを用いて包装容器１０の開封口１３を閉じているが、開封防止シールを貼り付ける対象は、包装容器１０に限定されない。開封防止シールは、一度開封した薬剤パック９の蓋を閉じるために、薬剤パック９に貼り付けてもよい。また、薬剤パック９の蓋および包装容器１０の開封口１３は、開封防止シールに代えて例えば低粘着性のテープ等を用いて閉じてもよい。例示的には、テープには含浸処理加工紙を用いることができる。含浸処理加工紙は、表面にちりめん状の皺を有するクレープ紙という薄い紙に、ニカワ、天然ゴムおよび合成ゴム等を含浸させることにより製造されている。含浸処理によりテープ表面の滑り性が向上することにより、たとえテープが薬剤パック９の蓋以外の領域や包装容器１０の開封口１３以外の領域にわたって貼り付けられた場合であっても、薬剤パック９および包装容器１０を棚等に載置する際に、テープが棚の表面に引っ掛かることを防止することができる。
【符号の説明】
【００６８】
１  薬剤管理ネットワーク
２  薬剤管理データベース
３  再包装支援システム
４  薬剤保管ロボット
５  薬剤保管庫
６  自動薬剤受取機
９  薬剤パック
１０（１０Ａ，１０Ｂ）  包装容器
１１（１１Ａ，１１Ｂ）  光遮断領域
１２  情報コード
１３  開封口
２１  薬剤情報
２２  組み合わせ情報
２３  再包装薬剤情報
３１  再包装支援装置
３２  情報コード印刷機
５１  薬剤搬入搬出口
５２  情報コード読み取り部
５３  ベルトコンベア
５４  寸法測定部
６１  バーコード読み取り部
６２  薬剤払出口
９１，９２  薬剤
３１１  組み合わせ情報確認部
３１２  再包装薬剤情報作成部
３１３  薬剤入出庫管理部
【要約】
【課題】自動化された薬剤保管庫において取り扱うことが可能な、数量が分割されて再包装される薬剤を包装する包装容器を提供する。
【解決手段】薬剤９１，９２を包装する透明な包装容器１０であり、包装容器１０の寸法を読み取るための読み取り光を遮る光遮断領域１１が表面に設けられており、数量が分割されて再包装される薬剤９１，９２に関する再包装薬剤情報に関連する情報コード１２が表示されている。薬剤師による調剤監査を行うために包装容器１０を透明にしていても、包装容器１０の表面に光遮断領域１１が設けられていることにより、包装容器１０の三辺の寸法を適切に測定することが可能となり、入庫および払出が自動化された薬剤保管庫において透明な包装容器１０を取り扱うことが可能となる。
【選択図】図１【図１】
0006847481.tif 000003
【図２】
0006847481.tif 000004
【図３】
0006847481.tif 000005
【図４】
0006847481.tif 000006
【図５】
0006847481.tif 000007
【図６】
0006847481.tif 000008
【図７】
0006847481.tif 000009